(57)【特許請求の範囲】
【請求項１】
両側部が下方に垂直折曲し、さらに外側に水平折曲し、上面に第１締結孔（１４０）を備えて冷蔵庫本体(１０)の上面角部に一体に形成されるヒンジ支持具（１００）と、
一側は前記ヒンジ支持具（１００）に固定され且つ他側はドア（３０）を回動可能に支持し、前記第１締結孔（１４０）に対応する位置に長く貫通形成される第２締結孔（２６２）及び前記第２締結孔（２６２）の短い側を向かって上向に傾斜して形成される傾斜面（２６４）を有する締結部（２６０）を備えた上部ヒンジ（２００）と、
操作可能に形成された操作ハンドル（３２０）と前記操作ハンドル（３２０）の一端部から垂直折曲した密着板（３４０）とを備え、前記密着板（３４０）の両側部には内側に凹入した固定溝（３４２）が形成され、前記密着板（３４０）が前記第２締結孔（２６２）及び第１締結孔（１４０）に挿入された後、前記操作ハンドル（３２０）を水平方向に回転させるとき、前記固定溝（３４２）の上部（３４２ａ）が前記傾斜面（２６４）に接触して回転して前記上部ヒンジ（２００）と前記ヒンジ支持具（１００）とを密着させるヒンジ着脱レバー（３００）と
を含むことを特徴とする上部ヒンジ体の結合構造。
【請求項２】
前記ヒンジ支持具（１００）の一端部には挿入溝（１２０）が形成され、且つ前記上部ヒンジ（２００）の一端部には前記挿入溝（１２０）に挿入される挿入片（２２０）が形成されることを特徴とする請求項１に記載の上部ヒンジ体の結合構造。
【請求項３】
前記上部ヒンジ（２００）には前記ドア(３０)に挿入されるヒンジピン（２４０）が突出形成されることを特徴とする請求項１に記載の上部ヒンジ体の結合構造。
【請求項４】
前記第１締結孔（１４０）は、前記ヒンジ支持具（１００）の長手方向に沿って長くて且つ幅方向に沿って短い＋形状を有するように形成されることを特徴とする請求項１に記載の上部ヒンジ体の結合構造。
【請求項５】
前記締結部（２６０）には前記固定溝（３４２）の上部（３４２ａ）が収容されるように係止溝（２６６）が形成されることを特徴とする請求項１〜４のいずれかに記載の上部ヒンジ体の結合構造。
【発明の詳細な説明】
【０００１】
【発明の属する技術分野】
本発明は、冷蔵庫の上部ヒンジ体の結合構造に係るもので、詳しくは、ドアーを本体により堅固に支持することにより、ドアーと本体との間の隙間が防止できる冷蔵庫の上部ヒンジ体の結合構造に関するものである。
【０００２】
【従来の技術】
一般に、冷蔵庫は、図６に示したように、食品などを収納する本体１０と、前記本体１０に揺動自在に装着され、揺動することにより冷蔵庫の内部を開閉させるドアー３０と、前記ドアー３０を前記本体１０に揺動自在に固定支持するヒンジ手段５０と、から構成される。
【０００３】
前記ヒンジ手段５０は、前記本体１０の上面前方の角に設置され、前記ドアー３０を上部から前記本体１０に揺動自在に固定支持する上部ヒンジ体５００と、前記本体１０の下部前方の角に設置され、前記ドアー３０を下部から前記本体１０に揺動自在に固定支持する下部ヒンジ体６００と、から構成される。
【０００４】
前記のように構成された従来の冷蔵庫において、前記上部ヒンジ体５００は、図７に示したとおり、前記本体１０の上面前方の角に一体形成される平板形状のヒンジ支持具５１０と、前記ヒンジ支持具５１０の上方から下方に挿入結合され、後端部には前記ヒンジ支持具５１０に挿入される結合片５３１が突成され、前端部には一側が内側に屈曲形成される上部ヒンジ５３０と、前記上部ヒンジ５３０の上方から下方に挿入され、前記上部ヒンジ５３０を前記ヒンジ支持具５１０に着脱させる  ‘逆Ｌ’字形状をしたヒンジ着脱レバー５５０と、から構成される。
【０００５】
前記ヒンジ支持具５１０は、その中央に、長さ方向に一対の結合孔５１１が穿孔され、該結合孔５１１の左右には、前記ヒンジ着脱レバー５５０が挿入されるように着脱溝５１３ａが形成され、該側端面図が逆コ字形状をした着脱調節片５１３が上方に立設されている。且つ、前記ヒンジ支持具５１０の後端部には、前記上部ヒンジ５３０の結合片５３１が挿入されるように、中央部に挿入溝５１５ａが形成されている連結片５１５が上方に立設されている。
【０００６】
前記上部ヒンジ５３０は、前記ヒンジ支持具５１０に穿孔された結合孔５１１に対応できるように、下面中央に下方に向かって、一対の結合突起５３３が突成され、且つ、前端部の下面中央には前記ドアー３０に形成されているヒンジ孔（図示せず）に挿入され、前記ドアー３０を前記本体１０に揺動自在に固定支持するヒンジピン５３５が下方に突成されている。
【０００７】
前記ヒンジ着脱レバー５５０は、使用者が掴んで操作できるように形成された平板状の操作レバー５５１と、前記操作レバー５５１の下部が下方に垂直切刻され、前記操作レバー５５１の回転により前記上部ヒンジ５３０を前記ヒンジ支持具５１０に密着又は、離脱させる密着板５５３と、から構成され、前記密着板５５３の幅方向の両端部には、前記ヒンジ支持具５１０に形成された着脱調節片５１３の着脱溝５１３ａに揺動自在に挿入される着脱突起５５３ａが突成されている。
【０００８】
前記のように構成される上部ヒンジ体５００の結合順序を図面を用いて説明する。
従来の上部ヒンジ体５００の結合順序は、図６乃至図８に示したように、先ず、本体１０の上面前方の角に前記本体１０と一体に形成されているヒンジ支持具５１０の連結片５１５に、上部ヒンジ５３０の後端部に突成されている結合片５３１を挿入すると同時に、該上部ヒンジ５３０の下面中央部に下方に突成されている一対の結合突起５３３を前記ヒンジ支持具５１０の結合孔５１１に挿入して前記上部ヒンジ５３０を前記ヒンジ支持具５１０に結合する。
【０００９】
次いで、ヒンジ着脱レバー５５０に形成されている着脱突起５５３ａを前記ヒンジ着脱レバー５５０の操作レバー５５１が上方に垂直になった状態で前記ヒンジ支持具５１０の着脱溝５１３ａに前方から後方に挿入し、前記操作レバー５５１を下方に９０°回転させる。
【００１０】
前記のように前記操作レバー５５１を下方に９０°回転させると、前記密着板５５３が回転しながら上部ヒンジ５３０を下方に押すことになり、前記上部ヒンジ５３０は、前記ヒンジ支持具５１０に密着結合される。
次いで、前記上部ヒンジ５３０の前端部下面に形成されているヒンジピン５３５を前記ドアーに形成されているヒンジ孔（図示せず）に挿入することにより、前記上部ヒンジ体５００の結合を完了する。
【００１１】
【発明が解決しようとする課題】
然るに、前記のような従来の上部ヒンジ体は、上部ヒンジをヒンジ支持具に押しつける密着板と着脱突起との距離が一定に決まっており、且つ、前記密着板が前記操作レバーの下部が下方に垂直切刻され形成される板状の状態であるため、前記上部ヒンジを前記ヒンジ支持具に堅固に支持することができないという不都合な点があった。
【００１２】
又、前記上部ヒンジが前記ヒンジ支持具に堅固に支持できないことにより、時間の経過に伴い、ドアーと本体との間に隙間が発生して電力が無駄に損失されるという不都合な点があった。
【００１３】
本発明は、このような従来の課題に鑑みてなされたもので、ドアーを本体に堅固に支持することができ、又、それにより、長期間が経過しても、ドアーと本体の間に隙間が発生しない冷蔵庫の上部ヒンジ体の結合構造を提供することを目的とする。
【００１４】
【課題を解決するための手段】
このような目的を達成するため、本発明に係る冷蔵庫の上部ヒンジ体の結合構造は、本体の上面前方の角に一体形成されるヒンジ支持具と、前記ヒンジ支持具の上方から下方に挿入結合され、後端部には前記ヒンジ支持具に挿入される挿入片が後方に突成されており、前端部が内側に屈曲され、その端部が円弧形に形成されている平板状の上部ヒンジと、前記上部ヒンジの上方から下方に挿入され、前記上部ヒンジを前記ヒンジ支持具に着脱させるヒンジ着脱レバーと、から構成される。
【００１５】
【発明の実施の形態】
以下、本発明に係る冷蔵庫の上部ヒンジ体の結合構造を図面を用いて説明する。説明中、従来の構成と同一な部分に対しては、同一符号を用いる。
本発明に係る冷蔵庫の上部ヒンジ体の結合構造は、図１に示したとおり、本体１０の上面前方の角に一体形成されるヒンジ支持具１００と、前記ヒンジ支持具１００の上方から下方に挿入結合され、後端部には前記ヒンジ支持具１００に挿入される挿入片２２０が後方に突成され、前端部は内側に屈曲され、その端部が円弧形に形成されている平板形状の上部ヒンジ２００と、前記上部ヒンジ２００の上方から下方に挿入され、前記上部ヒンジ２００を前記ヒンジ支持具１００に着脱させるヒンジ着脱レバー３００と、から構成される。
【００１６】
前記ヒンジ支持具１００は、その両端部が下方に垂直切刻され、該垂直切刻されたそれぞれの端部が更に、外側に水平切刻形成され、上方に屈曲形成された部分の後端部中央に、前記上部ヒンジ２００の後端部に形成された挿入片２２０が挿入できるように長方形の挿入孔１２０が形成され、該挿入孔１２０の前方には、前記ヒンジ着脱レバー３００が挿入できるように長さ方向に所定長さを持つ第１締結孔１４０が形成されている。
【００１７】
前記第１締結孔１４０は、前記ヒンジ着脱レバー３００が長さ方向にのみ挿入できるよう、長さ方向は長く、幅方向は短い‘＋’形状に形成される。
前記上部ヒンジ２００は、前端部の下面中央にドアー３０のヒンジ孔（図示せず）に挿入され、前記ドアー３０を本体１０に揺動自在に支持するヒンジピン２４０が下方に突成され、該ヒンジピン２４０の後方には、前記第１締結孔１４０に対応できるように、締結部２６０が形成されている。
【００１８】
前記締結部２６０は、図２及び図３に示したとおり、前記ヒンジ着脱レバー３００が、長さ方向にのみ挿入可能になるように長さ方向は長く、幅方向は短く形成される第２締結孔２６２と、該第２締結孔２６２の幅方向に対して、上方に所定の傾斜を持つ傾斜面２６４と、該傾斜面２６４の頂上部に前記第２締結孔２６２の幅方向の長さ方向に形成される係止溝２６６と、を含めて構成される。
【００１９】
前記ヒンジ着脱レバー３００は、使用者が掴んで操作する平板状の操作ハンドル３２０と、該操作ハンドル３２０の下部が下方に垂直切刻され、前記上部ヒンジ２００とヒンジ支持具１００に形成されている第１締結孔１４０と第２締結孔２６２に挿入される密着板３４０とから構成される。
【００２０】
前記密着板３４０は、中間部の両側が、前記上部ヒンジ２００とヒンジ支持具１００が嵌合されるように内側に切り欠かれ、その正断面図が９０回転したＨ形状をした固定溝３４２が形成される。
【００２１】
前記のように構成される本発明に係る冷蔵庫の上部ヒンジ体の結合順序を図面を用いて説明する。
本発明に係る冷蔵庫においての上部ヒンジ体の結合順序は、図４及び図５に示したように、先ず、本体１０の上面前方の角に一体形成されているヒンジ支持具１００の挿入孔１２０に、前記上部ヒンジ２００の挿入片２２０を挿入させ、前記上部ヒンジ２００を前記ヒンジ支持具１００に結合させる。
【００２２】
次いで、ヒンジ着脱レバー３００の密着板３４０に形成されている固定溝３４２の下部３４２ｂが前記ヒンジ支持具１００の下面に位置し、前記固定溝３４２の上部３４２ａが前記上部ヒンジ２００の上面に位置するようにして前記ヒンジ着脱レバー３００を前記上部ヒンジ２００とヒンジ支持具１００に形成されている第１締結孔１４０と第２締結孔２６２に挿入させ、水平方向に９０°回転させることにより、前記上部ヒンジ２００を前記ヒンジ支持具１００に密着固定させる。
【００２３】
このとき、前記ヒンジ着脱レバー３００の密着板３４０を水平方向に９０°回転させると前記密着板３４０に形成された固定溝３４２の上部３４２ａは前記上部ヒンジ２００の上面に形成されている締結部２６０の傾斜面２６４に沿って移動し、該傾斜面２６４の頂上に至っては、該傾斜面２６４の頂上に形成された係止溝２６６に係合される。又、前記固定溝３４２の下部３４２ｂは、前記ヒンジ支持具１００の下面に密着固定されるので、前記上部ヒンジ２００は前記ヒンジ支持具１００に遊動することなく、堅固に固定結合される。
【００２４】
即ち、前記ヒンジ着脱レバー３００の密着板３４０を水平方向に９０°回転させると、該回転により前記固定溝３４２に前記上部ヒンジ２００とヒンジ支持具１００が挟まれ、前記固定溝３４２の上部３４２ａは、前記上部ヒンジ２００の上面に当接され、前記固定溝の下部３４２ｂは、前記ヒンジ支持具１００の下面に当接されるようになり、前記ヒンジ支持具１００の上面に前記上部ヒンジ２００が遊動できないように堅固に固定結合されるようになるのである。
【００２５】
次いで、前記上部ヒンジ２００のヒンジピン２４０を前記ドアー３０のヒンジ孔（図示せず）に挿入することにより、本発明に係る上部ヒンジ体の結合を完了する。
反対動作に対する説明は、前記の逆順に行われるので省略する。
【００２６】
【発明の効果】
以上説明したように、本発明に係る冷蔵庫の上部ヒンジ体の結合構造は、ヒンジ着脱レバーを上部ヒンジとヒンジ支持具とに挿入し、水平方向に回転させ、上部ヒンジの係止溝に係合させることにより、上部ヒンジをヒンジ支持具により堅固に固定結合することができるという効果がある。
【００２７】
且つ、上部ヒンジをヒンジ支持具に、より堅固に固定結合することができることにより、長期間が経過しても、ドアーと本体の間に隙間が発生しないので、無駄な電力の損失がなくなるという効果がある。
【図面の簡単な説明】
【図１】本発明に係る上部ヒンジ体の構成を示した分解斜視図である。
【図２】本発明に係る上部ヒンジ体の締結部を拡大して示した部分詳細図である。
【図３】本発明に係る上部ヒンジ体を拡大して示した側面図である。
【図４】本発明に係る上部ヒンジ体の結合状態を示した側断面図である。
【図５】図４のＡ−Ａ線断面図である。
【図６】冷蔵庫の全体の構成を示した斜視図である。
【図７】従来の上部ヒンジ体の構成を示した分解斜視図である。
【図８】従来の上部ヒンジ体の結合順序を説明するための図で（Ａ）はヒンジ着脱レバーを下方に９０°回転させ、上部ヒンジをヒンジ支持具に密着させた状態を示した側断面図、（Ｂ）はヒンジ体のヒンジ着脱レバーを上方に９０°回転させ、上部ヒンジをヒンジ支持具から離脱させた状態を示した側断面図である。
【符号の説明】
１００…ヒンジ支持具
１２０…挿入孔
１４０…第１締結孔
２００…上部ヒンジ
２２０…挿入片
２４０…ヒンジピン
２６０…締結部
２６２…第２締結孔
２６４…傾斜面
２６６…係止溝
３００…ヒンジ着脱レバー
３２０…操作ハンドル
３４０…密着板
３４２…固定溝
【図１】
0004005202.tif 000002
【図２】
0004005202.tif 000003
【図３】
0004005202.tif 000004
【図４】
0004005202.tif 000005
【図５】
0004005202.tif 000006
【図６】
0004005202.tif 000007
【図７】
0004005202.tif 000008
【図８】
0004005202.tif 000009